【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
装飾体を固定する石座と、前記石座を吊り下げるように連結した台座と、を備えた装身具であって、
前記台座は、前記石座側を向く第１面及び前記第１面と反対側の第２面を有しており、前記第１面において外側に膨出するとともに、前記石座を吊り下げる連結部を備えた膨出部を有し、
前記石座は、前記第１面側に向けて突出する突出部を有しており、
前記台座は、前記石座の突出部と接触して前記石座を支持する支持領域を備え、
前記石座は、前記突出部が前記支持領域に接触した部分と、前記連結部に接触した部分との２箇所を支点に回転することを特徴とする装身具。
【請求項２】
前記支持領域は、前記第１面側から前記突出部に向かって隆起された隆起部を備え、前記突出部は、前記隆起部と点接触することを特徴とする請求項１に記載の装身具。
【請求項３】
前記台座は、前記第１面から離れる方向への前記石座の移動を規制する規制部を備えることを特徴とする請求項１又は請求項２に記載の装身具。
【請求項４】
前記突出部は、前記第１面に向かって直線状に延びる延出部を備え、
前記支持領域は、前記突出部を収容する穴部を有し、前記穴部に前記延出部が収容された状態で前記穴部の内周面と前記延出部の一部とが接触することを特徴とする請求項１に記載の装身具。
【手続補正２】
【補正対象書類名】明細書
【補正対象項目名】０００６
【補正方法】変更
【補正の内容】
【０００６】
本発明の装身具は、装飾体を固定する石座と、前記石座を吊り下げるように連結した台座と、を備えた装身具であって、前記台座は、前記石座側を向く第１面及び前記第１面と反対側の第２面を有しており、前記第１面において外側に膨出するとともに、前記石座を吊り下げる連結部を備えた膨出部を有し、前記石座は、前記第１面側に向けて突出する突出部を有しており、前記台座は、前記石座の突出部と接触して前記石座を支持する支持領域を備え、前記石座は、前記突出部が前記支持領域に接触した部分と、前記連結部に接触した部分との２箇所を支点に回転することを特徴とする。
【手続補正３】
【補正対象書類名】明細書
【補正対象項目名】０００８
【補正方法】変更
【補正の内容】
【０００８】
本発明の装身具において、前記支持領域は、前記第１面側から前記突出部に向かって隆起された隆起部を備え、前記突出部は、前記隆起部と点接触することが好ましい。
【手続補正４】
【補正対象書類名】明細書
【補正対象項目名】００１２
【補正方法】変更
【補正の内容】
【００１２】
【図１】実施の形態１に係るペンダントの構成を示す図である。
【図２】実施の形態１に係る台座及び石座の構成を説明するための図である。
【図３】実施の形態２に係るペンダントの構成を示す図である。
【図４】実施の形態２に係る台座の構成を説明するための図である。
【図５】実施の形態２に係る石座の構成を説明するための図である。
【手続補正５】
【補正対象書類名】明細書
【補正対象項目名】００２４
【補正方法】変更
【補正の内容】
【００２４】
隆起部２６ａと接触部３４ａとは、ペンダント１が吊り下げられた使用状態において互いに接触するように構成されている。このため、隆起部２６ａと接触部３４ａとは、石座３が回転する際の支点となる。具体的には、例えば、被装着者の動きなどによって外力が加えられると、石座３は、支持領域２６の隆起部２６ａと突出部３４の接触部３４ａとの接触部分を支点に回転される。なお、外力が加えられない状態では、石座３は、宝石４のクラウン部４１が正面を向くように支持される。
【手続補正６】
【補正対象書類名】明細書
【補正対象項目名】００２５
【補正方法】変更
【補正の内容】
【００２５】
ペンダント１の動きを説明する。
【手続補正７】
【補正対象書類名】明細書
【補正対象項目名】００２６
【補正方法】変更
【補正の内容】
【００２６】
上述のように、石座３は、連結リング２３，３３で構成される連結機構により台座２に連結され、吊り下げられている。このため、使用状態のペンダント１に所定の力が加わると、石座３は、連結機構を第１の支点に運動される。また、石座３の突出部３４と台座２の支持領域２６とは、接触部３４ａと隆起部２６ａとで接触されている。このため、石座３は、隆起部２６ａと接触部３４ａとの接触部分を第２の支点に回転される。つまり、石座３は、連結リング２３，３３の連結部分と、支持領域２６及び突出部３４の接触部分との２箇所を支点に回転運動される。ただし、支持領域２６と突出部３４とは、連結リング２３，３３のように連結されているわけではないから、石座３の回転の際には、支持領域２６と突出部３４とは僅かに滑ることがある。
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
本実施の形態に係るペンダント１において、接触部３４ａは直線状に延びるように構成されており、隆起部２６ａは石座３に向かって隆起されている。このため、隆起部２６ａと接触部３４ａとが接触された状態では、石座３は、隆起部２６ａと接触部３４ａとの接触部分を支点に回転される。このように、台座２と石座３とに、回転の支点となるような形状の支持領域２６と突出部３４とを設ければ、石座３は、支持領域２６と突出部３４との接触部分を支点に回転される。すなわち、石座３に対して与えられる力の殆どは、石座３を回転させる力となるので、細かな揺れを抑制して石座３を大きく回転させることができる。
【手続補正１１】
【補正対象書類名】明細書
【補正対象項目名】００３０
【補正方法】変更
【補正の内容】
【００３０】
以上のように、本実施の形態のペンダント１では、石座３は、突出部３４が支持領域２６に接触した状態において、突出部３４が支持領域２６に接触した部分を支点に回転する。その結果、石座３は大きく回転し、反射光の小刻みな変化を抑制して優雅な印象を与えることができる。
【手続補正１２】
【補正対象書類名】明細書
【補正対象項目名】００３１
【補正方法】削除
【補正の内容】
【手続補正１３】
【補正対象書類名】明細書
【補正対象項目名】００３３
【補正方法】変更
【補正の内容】
【００３３】
（実施の形態２）
本実施の形態では、実施の形態１とは異なる態様の装身具について説明する。図３は、本実施の形態に係るペンダント（装身具）の構成を示す図である。図３Ａは、ペンダントの正面図であり、図３Ｂは、ペンダントの左側面図である。なお、本実施の形態の説明に用いる各図において、ペンダントの左右をそれぞれ矢印Ｌ，Ｒで示し、ペンダントの前方を矢印Ｆで示す。また、本実施の形態において、実施の形態１と共通する構成については共通する符号を付して詳細な説明を省略する。
【手続補正１４】
【補正対象書類名】明細書
【補正対象項目名】００３４
【補正方法】変更
【補正の内容】
【００３４】
図３に示すように、本実施の形態に係るペンダント（装身具）１ａは、金、銀、プラチナ、真鍮などの金属で形成された台座２ａを備えている。台座２ａの前方には、台座２ａと同様の素材で形成された石座３ａが吊り下げられている。石座３ａには、宝石４が正面を向くように固定される。
【手続補正１５】
【補正対象書類名】明細書
【補正対象項目名】００３５
【補正方法】変更
【補正の内容】
【００３５】
図４は、台座２ａの構成を説明するための図である。図４Ａは、台座２ａの正面図であり、図４Ｂは、図４ＡのＶＡ−ＶＡ線における矢視断面図である。図３及び図４に示すように、台座２ａは、吊り下げられた石座３ａ側を向く前面（第１面）Ｓ１と略平坦な後面（第２面）Ｓ２とを有する本体部２０を含む。本体部２０の上端部には、ネックレス用チェーン（不図示）の挿通される挿通穴２５が設けられている。挿通穴２５に挿通されるネックレス用チェーンを被装着者の首に掛けることで、ペンダント１ａは被装着者に装着される。ペンダント１ａが被装着者に装着された使用状態において、本体部２０の後面Ｓ２は被装着者側を向き、台座２ａは本体部２０の後面Ｓ２において被装着者と接触される。これにより、ペンダント１ａは、使用状態において被装着者の胸部上方の位置に保持される。
【手続補正１６】
【補正対象書類名】明細書
【補正対象項目名】００３８
【補正方法】変更
【補正の内容】
【００３８】
図５は、石座３ａの構成を説明するための図である。図５Ａは、石座３ａの左側面図であり、図５Ｂは、石座３ａの背面図である。図３及び図５に示すように、石座３ａは、環状部３１と、４個の把持部３２ａ〜３２ｄとを含む。把持部３２ａ〜３２ｄは、環状部３１の前方及び後方に突出されており、環状部３１の嵌合穴３１ａに嵌合される宝石４の前後を把持して固定する。石座３ａの上端部には、台座２ａの連結穴２３ａに挿通される連結リング３３が設けられている。連結リング３３は、前後に開口された連結穴３３ａを有している。台座２ａと石座３ａとは、連結リング２３，３３により構成される連結機構を介して連結され、石座３ａは、台座２ａの前方において吊り下げられている。
【手続補正１７】
【補正対象書類名】明細書
【補正対象項目名】００３９
【補正方法】変更
【補正の内容】
【００３９】
石座３ａの上部には、後方の台座２ａに向かって突出された突出部３５が設けられており、台座２ａには、石座３ａの突出部３５に対応する位置において石座３ａを支持する支持領域２７が設けられている。図５Ａ及び図５Ｂに示すように、突出部３５は、後方に向かって直線状に延びる延出部３５ａにより構成されている。また、図４Ａ及び図４Ｂに示すように、支持領域２７は、延出部３５ａを収容可能な穴部２７ａにより構成されている。
【手続補正１８】
【補正対象書類名】明細書
【補正対象項目名】００４１
【補正方法】変更
【補正の内容】
【００４１】
ペンダント１ａが吊り下げられた状態において、穴部２７ａの内周面２７ｂ（図４Ａ及び図４Ｂ参照）と、延出部３５ａの外周面３５ｂ（図５Ａ及び図５Ｂ参照）とは接触される。このため、ペンダント１ａに外力が加わると、石座３ａは、穴部２７ａと延出部３５ａとの接触部分を支点に回転される。つまり、本実施の形態のペンダント１ａにおいても、石座３ａは、連結リング２３，３３の連結部分と、支持領域２７及び突出部３５の接触部分との２箇所を支点に回転運動される。
【手続補正１９】
【補正対象書類名】図面
【補正対象項目名】図３
【補正方法】変更
【補正の内容】
【図３】
2014023549.tif 000001
【手続補正２０】
【補正対象書類名】図面
【補正対象項目名】図４
【補正方法】変更
【補正の内容】
【図４】
2014023549.tif 000002
【手続補正２１】
【補正対象書類名】図面
【補正対象項目名】図５
【補正方法】変更
【補正の内容】
【図５】
2014023549.tif 000003
【手続補正２２】
【補正対象書類名】図面
【補正対象項目名】図６
【補正方法】削除
【補正の内容】